(57)【要約】      （修正有）【課題】多くの撮影パラメータを適切に設定できるようにする。【解決手段】他の撮像装置の使用者が操作中に他の撮像装置に対して設定した撮影設定値や、他の撮像装置の撮影画像、撮影アドバイス情報などを受信する通信部と、受信した撮影設定値、撮影画像、撮影アドバイス情報などを表示する表示制御部を備える。また、上記撮影アドバイス情報には音声アドバイス情報が含まれ、受信した音声アドバイス情報を出力する音声出力部を備える。【選択図】図１
2013128252.tif 000002
【特許請求の範囲】
【請求項１】
他の撮像装置の使用者の操作中おける前記他の撮像装置に対して設定された撮影設定値を、前記他の撮像装置から受信する通信部と、
前記他の撮像装置から受信した撮影設定値を表示する表示制御部と、
を備える撮像装置。
【請求項２】
前記表示制御部は、前記使用者による撮影中において、前記他の撮像装置から受信した撮影設定値を、前記使用者に対して撮影のアドバイスをするためのアドバイス情報として表示する
請求項１に記載の撮像装置。
【請求項３】
前記表示制御部は、ライブビュー画像とともに、前記アドバイス情報を表示する
請求項２に記載の撮像装置。
【請求項４】
前記通信部は、前記他の撮像装置から、前記他の撮像装置により撮像される撮像範囲のライブビュー画像をアドバイス画像として受信し、
前記表示制御部は、当該撮像装置の前記ライブビュー画像とともに、前記アドバイス画像を表示する
請求項３に記載の撮像装置。
【請求項５】
前記通信部は、前記他の撮像装置から、前記他の撮像装置の使用者の音声をアドバイス音声として受信し、
当該撮像装置は、前記アドバイス音声を出力する音声出力部を更に備える
請求項２から４の何れか１項に記載の撮像装置。
【請求項６】
前記通信部は、当該撮像装置の使用者の操作により設定された撮影設定値を、前記他の撮像装置に送信する
請求項２から５の何れか１項に記載の撮像装置。
【請求項７】
前記通信部は、当該撮像装置の使用者による操作に応じて、撮影のアドバイスの内容を理解したことを通知する了解情報を前記他の撮像装置に送信する
請求項６に記載の撮像装置。
【請求項８】
前記通信部は、前記他の撮像装置により撮像される撮像範囲のライブビュー画像および前記他の撮像装置において前記ライブビュー画像上に書き込まれた描画情報を前記他の撮像装置から受信し、
前記表示制御部は、前記アドバイス画像に前記描画情報を重ねて表示する
請求項４に記載の撮像装置。
【請求項９】
前記表示制御部は、前記描画情報を表示してから予め定められた時間経過した後に消去する
請求項８に記載の撮像装置。
【請求項１０】
前記表示制御部は、当該撮像装置の使用者による操作に応じて、前記アドバイス情報をポーズして表示する
請求項２から９の何れか１項に記載の撮像装置。
【請求項１１】
前記表示制御部は、当該撮像装置の使用者による操作に応じて、前記アドバイス情報をリプレイして表示する
請求項２から９の何れか１項に記載の撮像装置。
【請求項１２】
使用者の操作中おいて設定された撮影設定値を、他の撮像装置へと送信する通信部
を備える撮像装置。
【請求項１３】
前記通信部は、前記使用者による撮影中において、設定された撮影設定値を、前記他の撮像装置へと、前記他の撮像装置の使用者に撮影のアドバイスをするためのアドバイス情報として送信する
請求項１２に記載の撮像装置。
【請求項１４】
前記通信部は、前記他の撮像装置へと、当該撮像装置により撮像される撮像範囲のライブビュー画像をアドバイス画像として送信する
請求項１３に記載の撮像装置。
【請求項１５】
当該撮像装置は、当該撮像装置の使用者の音声を入力する音声入力部を更に備え、
前記通信部は、前記音声入力部が入力した音声を、前記他の撮像装置へと、前記他の撮像装置の使用者に撮影のアドバイスをするためのアドバイス音声として送信する
請求項１３または１４に記載の撮像装置。
【請求項１６】
前記通信部は、前記他の撮像装置から、前記他の撮像装置の使用者により前記他の撮像装置に対して設定された撮影設定値を受信し、
当該撮像装置は、前記他の撮像装置に対して設定された撮影設定値を当該撮像装置の使用者に対して表示する表示制御部を更に備える
請求項１３から１５の何れか１項に記載の撮像装置。
【請求項１７】
前記通信部は、前記他の撮像装置から、撮影のアドバイスの情報の内容を理解したことを通知する了解情報を受信し、
前記表示制御部は、前記了解情報を当該撮像装置の使用者に対して表示する
請求項１６に記載の撮像装置。
【請求項１８】
前記通信部は、複数の前記他の撮像装置のそれぞれから、当該他の撮像装置により撮像される撮像範囲のライブビュー画像を受信し、
前記表示制御部は、前記複数の他の撮像装置のそれぞれから受信した複数の前記ライブビュー画像を同時に表示する
請求項１６または１７に記載の撮像装置。
【請求項１９】
前記表示制御部は、前記複数の他の撮像装置のそれぞれから受信した前記複数のライブビュー画像を同時に表示している状態から、当該撮像装置の使用者により選択された一の前記ライブビュー画像を表示する状態に切り替える
請求項１８に記載の撮像装置。
【請求項２０】
当該撮像装置は、当該撮像装置の使用者が書き込んだテキストを入力する操作入力部を更に備え、
前記通信部は、前記他の撮像装置へと前記テキストを前記アドバイス情報として送信する
請求項１３から１９の何れか１項に記載の撮像装置。
【請求項２１】
前記操作入力部は、予め登録された複数のテキストのうち当該撮像装置の使用者が選択したテキストを入力する
請求項２０に記載の撮像装置。
【請求項２２】
当該撮像装置は、当該撮像装置により撮像される撮像範囲のライブビュー画像を表示するとともに、当該撮像装置の使用者により前記ライブビュー画像上に書き込まれた描画情報を入力および表示する表示制御部を更に備え、
前記通信部は、前記他の撮像装置へと前記描画情報を送信する
請求項１４に記載の撮像装置。
【請求項２３】
前記通信部は、前記アドバイス情報の送信を許可する設定がされている場合、通信可能な他の撮像装置へと前記アドバイス情報を送信する
請求項１３から２２の何れか１項に記載の撮像装置。
【請求項２４】
被写体を撮像する撮像装置により実行されるプログラムであって、
他の撮像装置の使用者の操作中における前記他の撮像装置に対して設定された撮影設定値を、前記他の撮像装置から受信するステップと、
前記他の撮像装置から受信した撮影設定値を表示するステップと、
を含むプログラム。
【請求項２５】
被写体を撮像する撮像装置により実行されるプログラムであって、
使用者による操作中における撮影設定値を設定するステップと、
他の撮像装置へと設定された撮影設定値を送信するステップと、
を含むプログラム。
【発明の詳細な説明】
【技術分野】
【０００１】
本発明は、撮像装置およびプログラムに関する。
【背景技術】
【０００２】
デジタル一眼レフカメラは、様々な印象を与える静止画像を撮影することができる。しかし、自分の意図通りの印象の静止画像を撮影するには、多くのパラメータを適切に設定しなければならないので熟練を要する。
［先行技術文献］
［特許文献］
［特許文献１］特開２００７−１６６１４３号公報
【発明の概要】
【発明が解決しようとする課題】
【０００３】
例えばデジタル一眼レフカメラを購入したばかりといった初心者は、上級者から口頭等により、意図に沿った静止画像を撮影するためのパラメータの設定の方法を教わったりする。しかし、実際に撮影中に、撮影方法を教わることは困難であった。
【課題を解決するための手段】
【０００４】
本発明の第１の態様においては、他の撮像装置の使用者の操作中おける前記他の撮像装置に対して設定された撮影設定値を、前記他の撮像装置から受信する通信部と、前記他の撮像装置から受信した撮影設定値を表示する表示制御部と、を備える撮像装置を提供する。
【０００５】
本発明の第２の態様においては、使用者の操作中おいて設定された撮影設定値を、他の撮像装置へと送信する通信部を備える撮像装置を提供する。
【０００６】
本発明の第３の態様においては、被写体を撮像する撮像装置により実行されるプログラムであって、他の撮像装置の使用者の操作中における前記他の撮像装置に対して設定された撮影設定値を、前記他の撮像装置から受信するステップと、前記他の撮像装置から受信した撮影設定値を表示するステップと、を含むプログラムを提供する。
【０００７】
本発明の第４の態様においては、被写体を撮像する撮像装置により実行されるプログラムであって、使用者による操作中における撮影設定値を設定するステップと、他の撮像装置へと設定された撮影設定値を送信するステップと、を含むプログラムを提供する。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】本実施形態に係る撮像システム１０の構成を示す。
【図２】本実施形態に係る生徒側の撮像装置３０のハードウェア構成を示す。
【図３】教師側の撮像装置２０から生徒側の撮像装置３０へと伝送される情報、および、教師側の撮像装置２０および生徒側の撮像装置３０のそれぞれの表示内容の一例を示す。
【図４】アドバイス提供時の処理ステップの一例を示す。
【図５】具体的なアドバイスの流れの一例を示す。
【図６】複数の生徒側の撮像装置３０に対して同時にアドバイスを送信する場合の撮像システム１０の構成を示す。
【図７】複数の生徒側の撮像装置３０に対して同時にアドバイスを送信する場合における、教師側の撮像装置２０の表示部３６の表示例を示す。
【図８】教師側の撮像装置２０において、図７の状態から何れか１つの生徒側の撮像装置３０のライブビュー画像を選択した場合の表示部３６の表示例を示す。
【図９】教師側の撮像装置２０において、タッチパネルである表示部３６に書き込んだ描画情報を、生徒側の撮像装置３０に表示させる場合の表示例を示す。
【図１０】変形例に係る撮像システム１０の構成を示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態に係る撮像システム１０の構成を示す。本実施形態に係る撮像システム１０は、ある一の撮像装置から他の撮像装置へと、撮影のアドバイスをするための、例えば撮影設定値等のアドバイス情報を送信する。本実施形態においては、撮影のアドバイス情報を送信する撮像装置を、教師側の撮像装置２０という。また、撮影のアドバイス情報を受信する撮影装置を、生徒側の撮像装置３０という。
【００１２】
教師側の撮像装置２０と生徒側の撮像装置３０との間は、例えば無線通信により情報が送受信される。これにより、教師側の撮像装置２０および生徒側の撮像装置３０が比較的に近距離に位置する場合、教師側の撮像装置２０は、生徒側の撮像装置３０へとアドバイス情報を転送することができる。従って、教師側の撮像装置２０は、同一の被写体を撮影している生徒側の撮像装置３０へ、その被写体の撮影に適した撮影方法をアドバイスすることができる。
【００１３】
また、教師側の撮像装置２０と生徒側の撮像装置３０との間は、例えばインターネット等のネットワークを介して情報が送受信されてもよい。これにより、教師側の撮像装置２０および生徒側の撮像装置３０が無線通信により通信できない場合であっても、教師側の撮像装置２０から生徒側の撮像装置３０へとアドバイス情報を転送することができる。従って、教師側の撮像装置２０は、同一のシーンまたはシチュエーション等で撮影している生徒側の撮像装置３０に対して（例えば互いに人物を撮影している場合において）、そのシチュエーションに適した撮影方法をアドバイスすることができる。
【００１４】
図２は、本実施形態に係る教師側の撮像装置２０のシステム構成図である。なお、生徒側の撮像装置３０の構成も教師側の撮像装置２０と同様である。また、ここでは、レンズ交換式カメラを例に説明する。
【００１５】
教師側の撮像装置２０は、カメラ本体２２に交換レンズ２１が装着されて構成される。カメラ本体２２には、焦点距離、開放Ｆ値等の異なる複数の交換レンズ２１が交換可能に装着される。交換レンズ２１は、その鏡筒内に、光軸１１に沿って配列された光学系を備え、光軸１１に沿って入射する被写体光束をカメラ本体２２へ導く。
【００１６】
カメラ本体２２の上面には、ユーザから各種入力を受け付ける受付部としての役割を担う複数の操作部材が設けられている。具体的には、撮影指示を受け付けるレリーズボタン、絞り値の変更に用いられる絞りボタン、各種情報を示す情報画面の表示指示を受け付ける情報表示ボタン、撮影モードの切り替えを受け付ける撮影モードダイヤル等が配置されている。
【００１７】
カメラ本体２２の背面には、液晶モニタ等の表示部３６が設けられている。また、カメラ本体２２の背面においても、上面と同様に、ユーザから各種入力を受け付ける受付部としての役割を担う複数の操作部材が設けられている。具体的には、シャッタ速度、絞り値を調整するためのコマンドダイヤル、表示部３６に表示されたカーソル等の移動に用いられる十字キー、カーソルで選択された項目の機能等を実行させる決定ボタン等が配置されている。また、様々な設定項目を表示部３６に表示させるメニューボタン、ユーザによって予め割り当てられた機能を指示するための機能ボタン等が配置されている。
【００１８】
被写体像は、光軸１１に沿って光学系を透過し、撮像素子１３３の受光面に結像する。光学系は、ズームレンズ１２１、フォーカスレンズ１２２、絞り１２３等を含む。光学系は、レンズシステム制御部１２０によって制御される。例えば、レンズシステム制御部１２０は、レンズ駆動回路１２４を介してズームレンズ１２１を移動させるモータおよびフォーカスレンズ１２２を移動させるモータを制御する。また、レンズシステム制御部１２０は、絞り駆動回路１２５を介して絞り１２３を駆動する。また、レンズシステム制御部１２０は、レンズマウント接点１２６およびカメラマウント接点１３１を介してカメラシステム制御部１３０と接続され、相互に通信を実行しつつ協働して交換レンズ２１とカメラ本体２２を制御する。なお、レンズマウント接点１２６およびカメラマウント接点１３１は、それぞれ上述の交換レンズ２１側の通信端子およびカメラ本体２２側の通信端子を含む。
【００１９】
撮像素子１３３は、光学系を透過して入射する被写体像である光学像を光電変換する素子であり、例えば、ＣＣＤ、ＣＭＯＳセンサが用いられる。シャッタ１３４は、撮像素子１３３に対して撮影時のみ光が入射するように、撮影時の露光時間中のみ開き、それ以外の時は光をさえぎる。撮像素子１３３で光電変換された被写体像は、Ａ／Ｄ変換器１３５でアナログ信号からデジタル信号に変換される。デジタル信号に変換された被写体像は、画像データとして順次処理される。
【００２０】
Ａ／Ｄ変換器１３５によりデジタル信号に変換された画像データは、画像処理部１３６へ引き渡される。画像処理部１３６は、撮影モード、ユーザからの指示に従って、画像データをＪＰＥＧファイル等の規格化された画像フォーマットの画像データに変換する。メモリ制御部１３７は、いかなる作業にどれくらいのメモリ容量を割り当てるかを制御する。内部メモリ１３８は、高速で読み書きのできるランダムアクセスメモリであり、例えばＤＲＡＭ、ＳＲＡＭなどが用いられる。内部メモリ１３８は、画像処理部１３６が行う処理において、ワークメモリとしての役割を担う。画像処理部１３６によって処理された画像データは、メモリ制御部１３７の制御により、内部メモリ１３８から外部機器ＩＦ１４０を介して、記録媒体の記録部１４１に記録される。記録媒体は、フラッシュメモリ等により構成される、カメラ本体２２に対して着脱可能な不揮発性メモリである。
【００２１】
画像処理部１３６で処理された画像データは、記録用に処理される画像データに並行して、表示用の画像データを生成する。生成された表示用の画像データは、表示制御部１３９の制御に従って、表示部３６に表示される。記録の有無に関わらず、逐次表示用の画像データを生成して表示部３６に表示すれば、電子ファインダ機能としてライブビューを実現できる。また、画像の表示と共に、もしくは画像を表示することなく、教師側の撮像装置２０の各種設定に関する様々なメニュー項目も、表示制御部１３９の制御により表示部３６に表示することができる。
【００２２】
教師側の撮像装置２０は、上記の画像処理における各々の要素も含めて、カメラシステム制御部１３０により直接的または間接的に制御される。カメラシステム制御部１３０は、システムメモリ１３２を備える。システムメモリ１３２は、電気的に消去・記録可能な不揮発性メモリであり、例えばＥＥＰＲＯＭ（登録商標）等により構成される。システムメモリ１３２は、教師側の撮像装置２０の動作時に必要な定数、変数、プログラム等を、教師側の撮像装置２０の非動作時にも失われないように記録している。カメラ本体２２は、電源１４３から電力供給を受ける。電源制御部１４２は、電源１４３と通信して残電力の検出、電力供給の監視、給電を行う。電源１４３は、２次電池、家庭用ＡＣ電源等により構成される。また、交換レンズ２１への給電は、レンズマウント接点１２６、カメラマウント接点１３１を介して行われる。
【００２３】
操作検出部１４４は、上述した操作部材が操作されたことを検出してカメラシステム制御部１３０へ検出結果を出力する。カメラシステム制御部１３０は、検出された操作に応じた動作を実行する。具体的には、カメラシステム制御部１３０は、レリーズボタンの１段階目の押下げを検知することにより撮影準備動作であるＡＦ等を実行する。そして、カメラシステム制御部１３０は、レリーズボタンの２段階目の押下げを検知することにより撮像素子１３３による被写体像の取得動作を実行する。
【００２４】
測光センサ１４５は、ファインダ近傍に設けられ、被写体の明るさを検知する。露出制御部１４６は、測光センサ１４５の出力に応じて適正露出値を算出する。そして、露出制御部１４６は、ユーザが撮影モードダイヤルで選択した撮影モードに応じて、システムメモリ１３２からプログラム線図を取得し、プログラム線図および適正露出値に応じて適性絞り値、シャッタ速度、ＩＳＯ感度を決定する。
【００２５】
露出制御部１４６は、レリーズボタンの２段階目の押下げに応じて、適正絞り値に制絞り込む御信号をレンズシステム制御部１２０へ出力するとともに、決定したシャッタ速度で駆動させる制御信号をシャッタ１３４へ出力する。また、露出制御部１４６は、決定したＩＳＯ感度に対応する読み出しゲインを設定する制御信号を撮像素子１３３へ出力する。
【００２６】
通信部１４７は、外部の通信機器と通信する。通信部１４７は、一例として、Ｗｉ−Ｆｉ（登録商標）およびＢｌｕｅｔｏｏｔｈ（登録商標）等の無線方式により外部の通信機器と通信する。カメラシステム制御部１３０は、通信部１４７を介して、他の撮像装置と通信をする。
【００２７】
音声入力部１４８は、外部の音声を取り込んで音声データに変換する。音声入力部１４８から出力される音声データは、カメラシステム制御部１３０に送られる。カメラシステム制御部１３０は、音声入力部１４８から出力された音声データを記録部１４１に記録したり、通信部１４７を介して他の撮像装置に送信したりする。
【００２８】
音声出力部１４９は、音声データを再生し、音声として外部に出力する。カメラシステム制御部１３０は、記録部１４１から読み出したり、通信部１４７を介して他の撮像装置から受信したりして音声データを取得し、取得した音声データを音声出力部１４９に供給する。
【００２９】
ＡＦセンサ１５０には、光学系を透過して入射する被写体光束の一部がハーフミラー等により導かれる。ＡＦセンサ１５０は、ハーフミラー等から導かれた被写体光束の一部を受光する複数の光電変換素子列を有する。ＡＦセンサ１５０は、合焦状態にある場合には位相が一致した信号を出力し、前ピン状態または後ピン状態にある場合には、位相ずれした信号を出力する。位相のずれ量は、焦点状態からのずれ量に対応する。ＡＦセンサ１５０は、光電変換素子列の出力を相関演算することで位相差を検出して、位相差を示す位相差信号をＡＦ制御部１５１に出力する。
【００３０】
ＡＦ制御部１５１は、位相差ＡＦ方式またはコントラストＡＦ方式により、適正な目標位置にフォーカスレンズ１２２を移動させるための制御信号をレンズシステム制御部１２０へ出力する。具体的には、位相差ＡＦ方式で制御を行う場合には、ＡＦ制御部１５１は、ＡＦセンサ１５０から出力された位相差信号から検出された焦点状態に基づき、フォーカスレンズ１２２の目標位置を決定し、決定した目標位置に向けてレンズシステム制御部１２０の制御によってフォーカスレンズ１２２の位置を移動させる。
【００３１】
また、コントラストＡＦ方式で制御を行う場合には、ＡＦ制御部１５１は、Ａ／Ｄ変換器１３５からの画像データから被写体像のコントラストが大きくなる位置を検出する。そして、ＡＦ制御部１５１は、レンズシステム制御部１２０へ制御信号を出力してフォーカスレンズ１２２を移動させながら、被写体像のコントラストが大きくなる位置を検出し、検出した位置にフォーカスレンズ１２２を移動させる。このようなコントラストＡＦ方式は、撮像素子１３３により撮像された画像からフォーカス制御をすることができる。従って、ＡＦ制御部１５１は、例えば、電子ビューファインダにライブビュー画像を表示する場合において、コントラストＡＦ方式による制御を行うことができる。
【００３２】
図３は、教師側の撮像装置２０から生徒側の撮像装置３０へと伝送される情報、および、教師側の撮像装置２０および生徒側の撮像装置３０のそれぞれの表示内容の一例を示す。教師側の撮像装置２０は、使用者の操作に応じて設定された設定値を、生徒側の撮像装置３０の使用者に撮像のアドバイスをするためのアドバイス情報として、生徒側の撮像装置３０へと送信する。生徒側の撮像装置３０は、このアドバイス情報を教師側の撮像装置２０から受信する。
【００３３】
アドバイス情報には、教師側の撮像装置２０の使用者が設定する各種の設定値が含まれる。設定値には、一例として、シャッタ速度、絞り値、ＩＳＯ感度およびフォーカス位置情報等を含む。また、設定値には、教師側の撮像装置２０の使用者が設定する各種モード（シャッタ速度優先モード、露出優先モードおよびマニュアルモード等）、シーンモード（ポートレート撮影モード、風景撮影モードおよび夜景モード等）、および、フラッシュの装着の有無等を含んでもよい。また、設定値には、当該教師側の撮像装置２０の機種名等を含んでいてもよい。
【００３４】
そして、生徒側の撮像装置３０の表示部３６は、教師側の撮像装置２０から受信した設定値であるアドバイス情報を表示する。この場合において、生徒側の撮像装置３０の表示部３６は、一例として、ライブビュー画像６４とともにアドバイス情報である設定値情報６６を表示する。
【００３５】
これにより、教師側の撮像装置２０の使用者（例えば上級者）は、生徒側の撮像装置３０の使用者（例えば初心者）に対して設定値をどのような値にすべきかをアドバイスすることができる。また、生徒側の撮像装置３０の使用者（例えば初心者）は、教師側の撮像装置２０の使用者（例えば上級者）が設定値をどのような値に設定しているかを知ることができる。
【００３６】
さらに、教師側の撮像装置２０は、当該教師側の撮像装置２０のライブビュー画像の画像データを、生徒側の撮像装置３０の使用者にアドバイスをするためのアドバイス画像の画像データとして、生徒側の撮像装置３０へと更に送信してもよい。この場合、生徒側の撮像装置３０は、このアドバイス画像の画像データを教師側の撮像装置２０から受信する。
【００３７】
そして、生徒側の撮像装置３０の表示部３６は、当該生徒側の撮像装置３０のライブビュー画像６４とともに、アドバイス画像６２を表示する。例えば、生徒側の撮像装置３０の表示部３６は、当該生徒側の撮像装置３０のライブビュー画像６４上に、画面を小さくしたアドバイス画像６２を重ねて表示する。この場合において、生徒側の撮像装置３０の表示部３６は、一例として、表示面のコーナー部分にアドバイス画像６２を表示する。
【００３８】
これにより、教師側の撮像装置２０の使用者（例えば上級者）は、生徒側の撮像装置３０の使用者（例えば初心者）に対してどのようなアングル等で撮像すべきかをアドバイスすることができる。また、生徒側の撮像装置３０の使用者（例えば初心者）は、教師側の撮像装置２０の使用者（例えば上級者）がどのようなアングル等で撮像しているかを知ることができる。
【００３９】
なお、教師側の撮像装置２０および生徒側の撮像装置３０は、ライブビュー画像を表示する場合には、設定を自動露出（ＡＥ）および自動フォーカス（ＡＦ）として、例えば電子ビューファインダ（ＥＶＦ）等に画像を表示する。
【００４０】
さらにまた、教師側の撮像装置２０は、入力した音声データを、生徒側の撮像装置３０の使用者にアドバイスをするためのアドバイス音声の音声データとして、生徒側の撮像装置３０へと送信してもよい。この場合、生徒側の撮像装置３０は、このアドバイス音声の音声データを教師側の撮像装置２０から受信する。そして、生徒側の撮像装置３０は、アドバイス音声を出力する。
【００４１】
これにより、教師側の撮像装置２０の使用者（例えば上級者）は、生徒側の撮像装置３０の使用者（例えば初心者）に対して、撮像手法について音声によりアドバイスすることができる。また、生徒側の撮像装置３０の使用者（例えば初心者）は、教師側の撮像装置２０の使用者（例えば上級者）から撮像手法について音声によりアドバイスを受けることができる。
【００４２】
さらにまた、教師側の撮像装置２０は、使用者により入力されたテキストデータを生徒側の撮像装置３０へと送信してもよい。この場合、生徒側の撮像装置３０は、このテキストデータを教師側の撮像装置２０から受信する。そして、生徒側の撮像装置３０の表示部３６は、教師側の撮像装置２０から受信したテキストデータを、例えばライブビュー画像６４とともに表示する。
【００４３】
これにより、教師側の撮像装置２０の使用者（例えば上級者）は、生徒側の撮像装置３０の使用者（例えば初心者）に対して、撮像手法についてテキストによりアドバイスすることができる。また、生徒側の撮像装置３０の使用者（例えば初心者）は、教師側の撮像装置２０の使用者（例えば上級者）から撮像手法についてテキストによりアドバイスを受けることができる。
【００４４】
図４は、アドバイス提供時の処理ステップの一例を示す。教師側の撮像装置２０のカメラシステム制御部１３０および生徒側の撮像装置３０のカメラシステム制御部１３０は、互いに双方向で通信ができるように通信経路を確立した後に、以下のステップＳ１１からステップＳ２８の処理を実行する。
【００４５】
まず、ステップＳ１１において、教師側の撮像装置２０のカメラシステム制御部１３０は、アドバイスをすべき複数の設定項目から１つの設定項目を選択させるための選択画面等を表示部３６に表示して、複数の設定項目からアドバイスをすべき１つの設定項目を使用者に選択させる。例えば、教師側の撮像装置２０のカメラシステム制御部１３０は、初期設定、構図設定、露出設定およびフォーカス設定等の中から、１つの設定項目を選択させる。教師側の撮像装置２０のカメラシステム制御部１３０は、何れか１つの設定項目が選択されたことを操作検出部１４４が検出すると、ステップＳ１２において、選択された設定項目の内容を通信部１４７を介して生徒側の撮像装置３０に送信して、ステップＳ１３に処理を移行する。
【００４６】
ステップ１３において、教師側の撮像装置２０のカメラシステム制御部１３０は、ステップＳ１１で選択された設定項目に関する操作を操作検出部１４４を介して受け付ける。例えば、教師側の撮像装置２０のカメラシステム制御部１３０は、露出設定が設定項目として選択された場合には、例えばシャッタ速度、絞りおよびＩＳＯ感度等の設定操作を受け付ける。これとともに、教師側の撮像装置２０のカメラシステム制御部１３０は、選択された設定項目についての使用者による音声によるアドバイスを音声入力部１４８を介して入力してもよい。
【００４７】
ステップＳ１４において、教師側の撮像装置２０のカメラシステム制御部１３０は、操作により実際に設定された設定値を、通信部１４７を介して生徒側の撮像装置３０へと送信する。教師側の撮像装置２０のカメラシステム制御部１３０は、一例として、操作により実際に設定されたシャッタ速度、絞りおよびＩＳＯ感度等の値を生徒側の撮像装置３０へと送信する。これとともに、教師側の撮像装置２０のカメラシステム制御部１３０は、ライブビュー画像の画像データ、および、使用者の音声によるアドバイスの音声データを、通信部１４７を介して生徒側の撮像装置３０に送信する。なお、教師側の撮像装置２０のカメラシステム制御部１３０は、ステップＳ１３の処理およびステップＳ１４の処理を並行して実行する。
【００４８】
一方、生徒側の撮像装置３０のカメラシステム制御部１３０は、ステップＳ１２で教師側の撮像装置２０から送信された設定項目の内容を通信部１４７を介して受信したことに応じて、ステップＳ１５に処理を移行する。ステップＳ１５において、生徒側の撮像装置３０のカメラシステム制御部１３０は、教師側の撮像装置２０から受信した設定項目の内容を表示部３６に表示する。これにより、生徒側の撮像装置３０は、教師側の撮像装置２０の使用者が、いずれの項目についてアドバイスをしようとしているのかを、当該生徒側の撮像装置３０の使用者に認識させることができる。
【００４９】
続いて、生徒側の撮像装置３０のカメラシステム制御部１３０は、ステップＳ１４で教師側の撮像装置２０から送信された設定値、ライブビュー画像の画像データおよび音声データを通信部１４７を介して受信したことに応じて、ステップＳ１６に処理を移行する。ステップＳ１６において、生徒側の撮像装置３０のカメラシステム制御部１３０は、受信した設定値を表示部３６に表示する。さらに、生徒側の撮像装置３０のカメラシステム制御部１３０は、ライブビュー画像の画像データを受信している場合には、このライブビュー画像も表示部３６に表示する。さらに、生徒側の撮像装置３０のカメラシステム制御部１３０は、音声データを受信している場合には、この音声データに応じた音声を音声出力部１４９を介して出力する。これにより、生徒側の撮像装置３０は、教師側の撮像装置２０の使用者が、選択した設定項目についてどのような操作をしたのかを、当該生徒側の撮像装置３０の使用者に認識させることができる。
【００５０】
続いて、ステップ１７において、生徒側の撮像装置３０のカメラシステム制御部１３０は、選択された設定項目に関する操作を操作検出部１４４を介して受け付ける。例えば、生徒側の撮像装置３０のカメラシステム制御部１３０は、露出設定が設定項目として選択された場合には、例えばシャッタ速度、絞りおよびＩＳＯ感度等の操作を受け付ける。これにより、生徒側の撮像装置３０は、当該生徒側の撮像装置３０の使用者に対して、教師側の撮像装置２０の使用者からのアドバイスをリアルタイムに受けながら、選択された設定項目に関する操作をさせることができる。
【００５１】
続いて、ステップＳ１８において、生徒側の撮像装置３０のカメラシステム制御部１３０は、表示部３６に選択ボタン等を表示して、次の設定項目について続けてアドバイスを受けるかどうかを選択させる。これにより、生徒側の撮像装置３０は、当該生徒側の撮像装置３０の使用者に対して、選択された設定項目についての操作が完了した後に、他のアドバイスを受けるかまたは他のアドバイスを受けずに当該フローを中断するかを選択させることができる。
【００５２】
生徒側の撮像装置３０のカメラシステム制御部１３０は、次の設定項目についてのアドバイスを受けないことが選択されたことを操作検出部１４４を介して検出した場合には（ステップＳ１８のＮｏ）、ステップＳ１９において通信部１４７を介して教師側の撮像装置２０にその旨を通知して、当該フローを終了する。生徒側の撮像装置３０のカメラシステム制御部１３０は、次の設定項目についてのアドバイスを受けないことが選択された場合には、通信部１４７を介して教師側の撮像装置２０に中断要請を送信して、教師側の撮像装置２０により中断要請を了承された後に当該フローを終了してもよい。
【００５３】
また、生徒側の撮像装置３０のカメラシステム制御部１３０は、次の設定項目についてのアドバイスを受けることが選択されたことを操作検出部１４４を介して検出した場合には（ステップＳ１８のＹｅｓ）、ステップＳ２０において通信部１４７を介して教師側の撮像装置２０にその旨を通知する。そして、生徒側の撮像装置３０のカメラシステム制御部１３０は、処理を最初に戻して、教師側の撮像装置２０から次の設定項目の内容が送信されるまで処理を待機し、教師側の撮像装置２０から次の設定項目の内容が送信されたことに応じてステップＳ１５に処理を移行する。
【００５４】
一方、教師側の撮像装置２０のカメラシステム制御部１３０は、通信部１４７を介して生徒側の撮像装置３０からの通知を受けたことに応じて、ステップＳ２１に処理を移行する。ステップＳ２１において、教師側の撮像装置２０のカメラシステム制御部１３０は、次の設定項目についてのアドバイスを受ける旨の通知を受信したか、次の設定項目についてのアドバイスを受けない旨の通知を受信したかを判断する。教師側の撮像装置２０は、次の設定項目についてのアドバイスを受けない旨の通知を受信した場合には（ステップＳ２１のＮｏ）、当該フローを終了する。
【００５５】
教師側の撮像装置２０のカメラシステム制御部１３０は、次の設定項目についてのアドバイスを受ける旨の通知を通信部１４７を介して受信した場合には（ステップＳ２１のＹｅｓ）、ステップＳ１１に処理を戻して、表示部３６に選択ボタン等を表示して、教師側の撮像装置２０の使用者に次の設定項目を選択させる。これにより、教師側の撮像装置２０は、次の設定項目についての設定値等を生徒側の撮像装置３０に対して送信することできる。
【００５６】
教師側の撮像装置２０および生徒側の撮像装置３０のカメラシステム制御部１３０は、以上の処理を繰り返して実行する。これにより、教師側の撮像装置２０は、実際の操作と並行して、生徒側の撮像装置３０にアドバイスを伝えることができる。
【００５７】
そして、教師側の撮像装置２０の使用者は、必要な設定項目の全てについて操作が完了すると、撮像の指示を行う。教師側の撮像装置２０のカメラシステム制御部１３０は、以上のステップＳ１１からステップＳ２１までの処理中において、撮像の指示がされたか否かを検出している（ステップＳ２２）。教師側の撮像装置２０のカメラシステム制御部１３０は、撮像の指示を検出した場合には（ステップＳ２２のＹｅｓ）、ステップＳ２３において撮像処理を行う。
【００５８】
更に、教師側の撮像装置２０のカメラシステム制御部１３０は、撮像処理（ステップＳ２３）を行うと、ステップＳ２４において、通信部１４７を介して撮像したことを示す通知を生徒側の撮像装置３０に送信する。生徒側の撮像装置３０のカメラシステム制御部１３０は、教師側の撮像装置２０から撮像したことを示す通知を通信部１４７を介して受けたことに応じて、教師側の撮像装置２０において撮像処理がされたことを示す例えばマーク等を表示する。これにより、生徒側の撮像装置３０の使用者は、教師側の撮像装置２０の使用者が設定操作を完了して撮像操作を行ったことを知り、自身も撮像をしてもよいことを認識することができる。
【００５９】
生徒側の撮像装置３０のカメラシステム制御部１３０は、以上のステップＳ１１からステップＳ２１までの処理中において、撮像の指示がされたか否かを検出している（ステップＳ２５）。生徒側の撮像装置３０のカメラシステム制御部１３０は、操作検出部１４４により撮像の指示を検出した場合には（ステップＳ２５のＹｅｓ）、ステップＳ２６において撮像処理を行う。
【００６０】
そして、教師側の撮像装置２０および生徒側の撮像装置３０のカメラシステム制御部１３０のそれぞれは、撮像処理が完了すると、互いの通信部１４７を介して撮像した画像を相互に送信してもよい（ステップＳ２７、Ｓ２８）。これにより、教師側の撮像装置２０の使用者および生徒側の撮像装置３０の使用者のそれぞれは、相手側において撮像された画像の内容を互いに確認することができる。
【００６１】
図５は、具体的なアドバイスの流れの一例を示す。教師側の撮像装置２０の使用者は、一例として、まず、初期設定のアドバイスをし（Ｓ３１）、次に構図のアドバイスをし（Ｓ３２）、次に露出のアドバイスをし（Ｓ３３）、最後にフォーカスのアドバイスをする（Ｓ３４）。
【００６２】
初期設定のアドバイス（Ｓ３１）においては、教師側の撮像装置２０の使用者は、例えば、フラッシュ装置の装着およびレンズの交換等の操作を実際に行う。この場合、教師側の撮像装置２０のカメラシステム制御部１３０は、フラッシュ装置の装着の有無を検出するセンサおよびレンズシステム制御部１２０等からフラッシュ装置の装着の有無およびレンズの焦点距離等の情報を取得し、これらの情報を設定値として生徒側の撮像装置３０へと送信する。生徒側の撮像装置３０のカメラシステム制御部１３０は、このような情報を受信して、表示部３６の予め定められた位置に表示する。これにより、生徒側の撮像装置３０の使用者は、教師側の撮像装置２０の使用者が、フラッシュ装置を装着しているのか、どのような焦点距離のレンズを取り付けているのか、どのようなフィルタを装着しているのかを知ることができる。
【００６３】
また、構図のアドバイス（Ｓ３２）においては、教師側の撮像装置２０の使用者は、例えば、アングルを実際に調整したり、ズーミングの操作を実際に行ったりする。図５の例のシチュエーションにおいては、例えば、教師側の撮像装置２０の使用者は、ステップＳ３２のライブビュー画像２００に示されるように、山１０６および海岸線１０８が撮像範囲内に完全に含まれるようにズーミングを調整し、水平線１０２が画面の中央のやや上に位置するようにアングルを調整している。また、これとともに、教師側の撮像装置２０の使用者は、音声によるアドバイスをしてもよい。
【００６４】
この場合、教師側の撮像装置２０のカメラシステム制御部１３０は、表示制御部１３９により表示されているライブビュー画像２００を画像データとして取得し、通信部１４７を介して生徒側の撮像装置３０へと送信する。また、これとともに、教師側の撮像装置２０のカメラシステム制御部１３０は、音声入力部１４８から音声によるアドバイスの音声データを取得し、通信部１４７を介して生徒側の撮像装置３０へと送信する。生徒側の撮像装置３０のカメラシステム制御部１３０は、通信部１４７を介して画像データを受信して、教師側の撮像装置２０のライブビュー画像２００を、当該生徒側の撮像装置３０のライブビュー画像に重ねて表示部３６における画面のコーナー部分に小さく表示する。また、生徒側の撮像装置３０は、通信部１４７を介して教師側の撮像装置２０から送信された音声データを受信し、音声を再生して音声出力部１４９から出力する。これにより、生徒側の撮像装置３０の使用者は、教師側の撮像装置２０の使用者による構図を確認しながら、自分自身の構図を設定することができる。
【００６５】
また、露出のアドバイス（Ｓ３３）においては、教師側の撮像装置２０の使用者は、例えば、シャッタ速度、絞りおよびＩＳＯ感度等の設定を実際に行う。図５の例のシチュエーションにおいては、例えば、教師側の撮像装置２０の使用者は、ステップＳ３３のライブビュー画像２００に示されるように、太陽１０４と山１０６とのコントラストを考慮してシャッタ速度および絞りを設定している。
【００６６】
この場合、教師側の撮像装置２０のカメラシステム制御部１３０は、露出制御部１４６により決定されたシャッタ速度および絞り値を取得して、通信部１４７を介してシャッタ速度および絞り値を生徒側の撮像装置３０へと送信する。生徒側の撮像装置３０のカメラシステム制御部１３０は、このような情報を通信部１４７を介して受信して、表示部３６上の予め定められた位置に表示する。例えば、生徒側の撮像装置３０のカメラシステム制御部１３０は、シャッタ速度および絞り値を、ライブビュー画像２００内における予め定められた表示ボックス１１０内に表示する。また、生徒側の撮像装置３０のカメラシステム制御部１３０は、シャッタ速度および絞り値等の設定値を、設定範囲を示すスケール等上にグラフィカルに表示してもよい。また、生徒側の撮像装置３０のカメラシステム制御部１３０は、設定値をファインダ内に表示してもよい。これにより、生徒側の撮像装置３０の使用者は、教師側の撮像装置２０の使用者がどのようなシャッタ速度および絞り値で撮像しているのかを知ることができる。
【００６７】
また、フォーカスのアドバイス（Ｓ３４）においては、教師側の撮像装置２０の使用者は、例えば、フォーカスを合わせる被写体を実際に設定する。例えば、教師側の撮像装置２０は、複数のフォーカスポイント（自動でフォーカス合わせを行う領域）のうち１つのフォーカスポイントがマニュアルで選択されると、選択されたフォーカスポイントの被写体に例えばコントラストＡＦ方式によりフォーカスを自動で合わせる。従って、教師側の撮像装置２０の使用者は、このようなフォーカスポイントをマニュアルで選択する機能を用いて、フォーカスを合わせる被写体を設定することができる。図５の例のシチュエーションにおいては、教師側の撮像装置２０の使用者は、ステップＳ３４のライブビュー画像２００に示されるように、太陽１０４にフォーカスを合わせている。
【００６８】
この場合、例えば、教師側の撮像装置２０のカメラシステム制御部１３０は、フォーカスを合わせている位置を示すマーク１１２を、ライブビュー画像２００に含めて生徒側の撮像装置３０へと通信部１４７を介して送信する。生徒側の撮像装置３０は、このような情報を通信部１４７を介して受信して、教師側の撮像装置２０のライブビュー画像２００を表示部３６における画面のコーナー部分に小さく表示する。これにより、生徒側の撮像装置３０の使用者は、教師側の撮像装置２０の使用者がどの被写体にフォーカスを合わせているのかを知ることができる。
【００６９】
以上のような設定項目に変えてまたは加えて、他の設定項目についてアドバイスをしてもよいことはもちろんである。例えば、更に流し撮影等に関するアドバイスをするための設定項目を設けてもよい。また、生徒側の撮像装置３０は、当該生徒側の撮像装置３０の使用者が自動設定機能等を選択することにより、各操作値を自動的に教師側の撮像装置２０と同一に設定してもよい。これにより、生徒側の撮像装置３０の使用者は、簡単に、教師側の撮像装置２０と同様の設定に変更することができる。
【００７０】
以上のように、教師側の撮像装置２０によれば、実際の撮影現場において、設定項目のそれぞれについてアドバイスを提供することができる。これにより、教師側の撮像装置２０は、それぞれの設定項目毎に適切なアドバイスを、生徒側の撮像装置３０に提供することができる。
【００７１】
図６は、複数の生徒側の撮像装置３０に対して同時にアドバイスを送信する場合の撮像システム１０の構成を示す。教師側の撮像装置２０は、複数の生徒側の撮像装置３０のそれぞれに対して同時にアドバイスを提供してもよい。これにより、教師側の撮像装置２０は、例えば、撮影教室などにおいて、複数人に対して同時に撮影のアドバイスをすることができる。
【００７２】
図７は、複数の生徒側の撮像装置３０に対して同時にアドバイスを送信する場合における、教師側の撮像装置２０の表示部３６の表示例を示す。複数の生徒側の撮像装置３０のそれぞれに対して同時にアドバイスを提供する場合、教師側の撮像装置２０は、複数の生徒側の撮像装置３０のそれぞれから、ライブビュー画像を受信してもよい。そして、教師側の撮像装置２０の表示部３６は、複数の生徒側の撮像装置３０のそれぞれから受信した複数のライブビュー画像を、１画面内に同時に表示する。これにより、教師側の撮像装置２０の使用者は、複数の生徒側の撮像装置３０のそれぞれの使用者が、どのようなアングルで撮像しているのかを一括して確認することができる。
【００７３】
また、更に、教師側の撮像装置２０は、複数の生徒側の撮像装置３０から、複数の生徒側の撮像装置３０のそれぞれの使用者により設定された設定値を受信してもよい。そして、教師側の撮像装置２０の表示部３６は、複数の生徒側の撮像装置３０のそれぞれに対して設定された設定値を、１画面内に同時に表示してもよい。これにより、教師側の撮像装置２０の使用者は、複数の生徒側の撮像装置３０のそれぞれの使用者がどのように操作をしているのかを一括して確認することができる。
【００７４】
このように、教師側の撮像装置２０は、複数の生徒側の撮像装置３０のそれぞれについてのライブビュー画像および設定値を１画面内に同時に表示することにより、例えばアドバイスした内容とは異なる設定をしている生徒側の撮像装置３０を発見しやすくなる。また、教師側の撮像装置２０は、機器本体とは別体に設けられた表示部３６（例えばタブレット型の表示装置）に、複数の生徒側の撮像装置３０のそれぞれのライブビュー画像および設定値を表示してもよい。これにより、教師側の撮像装置２０は、比較的に大きく生徒側の撮像装置３０のライブビュー画像等を表示することができる。
【００７５】
図８は、教師側の撮像装置２０において、図７の状態から何れか１つの生徒側の撮像装置３０のライブビュー画像を選択した場合の表示部３６の表示例を示す。教師側の撮像装置２０の表示部３６は、複数の生徒側の撮像装置３０のそれぞれから受信した複数のライブビュー画像を同時に表示している状態から、当該教師側の撮像装置２０の使用者により選択された一のライブビュー画像を表示する状態に切り替えてもよい。これにより、教師側の撮像装置２０の使用者は、生徒側の撮像装置３０の使用者のそれぞれがどのような設定をしているのかを、拡大して確認することができる。そして、教師側の撮像装置２０の使用者は、選択した生徒側の撮像装置３０の使用者に対して、個別に撮影のアドバイスをすることができる。
【００７６】
また、教師側の撮像装置２０の表示部３６は、一の生徒側の撮像装置３０のライブビュー画像を表示する状態に切り替えた場合、何れの生徒側の撮像装置３０が選択されたのかを複数の生徒側の撮像装置３０のそれぞれに通知してもよい。これにより、複数の生徒側の撮像装置３０の使用者のそれぞれは、教師側の撮像装置２０の使用者が誰を選択しているのかを知ることができるので、個別の撮影のアドバイスがあった場合において、自分に対してアドバイスがされているのかどうかを把握することができる。
【００７７】
また、教師側の撮像装置２０は、選択された一つの生徒側の撮像装置３０のライブビュー画像を他の生徒側の撮像装置３０のそれぞれに送信してもよい。これに代えて、選択された一の生徒側の撮像装置３０は、他の生徒側の撮像装置３０へとライブビュー画像を送信してもよい。そして、他の生徒側の撮像装置３０のそれぞれは、受信した選択された一の生徒側の撮像装置３０のライブビュー画像を表示する。これにより、選択されていない他の生徒側の撮像装置３０の使用者も、選択された一の生徒側の撮像装置３０の使用者に対してどのようなアドバイスがされているのかを知ることができる。
【００７８】
また、例えば、ある一つの生徒側の撮像装置３０の設定値の操作可能範囲が教師側の撮像装置２０の設定値の操作可能範囲よりも狭く、教師側の撮像装置２０で設定された設定値が生徒側の撮像装置３０において設定できない場合がある。このような場合、教師側の撮像装置２０は、生徒側の撮像装置３０から設定ができない旨の通知を受けて、その旨を表示部３６に表示してもよい。また、教師側の撮像装置２０は、各生徒側の撮像装置３０の各設定値の設定範囲を予め取得しておき、使用者がある一つの生徒側の撮像装置３０が設定できない設定値を設定したことに応じて、その生徒側の撮像装置３０が設定できない設定値を設定した旨を表示部３６に表示してもよい。これにより、教師側の撮像装置２０の使用者は、その生徒側の撮像装置３０の使用者に対して個別に、他の設定値による対応方法をアドバイスすることができる。
【００７９】
例えば、教師側の撮像装置２０ではシャッタ速度を１／８０００に設定することができるが、ある一の生徒側の撮像装置３０ではシャッタ速度を１／４０００までしか設定できないとする。このような場合において、教師側の撮像装置２０の使用者は、そのある一の生徒側の撮像装置３０がシャッタ速度を１／４０００までしか設定できないことを前提として、例えばＩＳＯ感度および絞り等をどのような値に設定すべきかをアドバイスすることができる。なお、教師側の撮像装置２０は、生徒側の撮像装置３０の各設定値の設定範囲をスケール等でわかり易く表示部３６に表示していてもよい。
【００８０】
図９は、教師側の撮像装置２０において、タッチパネルである表示部３６に書き込んだ描画情報を、生徒側の撮像装置３０に表示させる場合の表示例を示す。教師側の撮像装置２０の表示部３６は、例えばタッチペン７０または指を用いて、ライブビュー画像上に書き込まれた描画情報を入力および表示してもよい。教師側の撮像装置２０の表示部３６は、一例として、ライブビュー画像上に書き込まれたマークおよび文字等を描画情報として入力および表示する。
【００８１】
教師側の撮像装置２０は、アドバイス情報とともに描画情報を、生徒側の撮像装置３０へと送信する。生徒側の撮像装置３０は、アドバイス情報とともに、描画情報を教師側の撮像装置２０から受信する。
【００８２】
そして、生徒側の撮像装置３０の表示部３６は、使用者による撮影中において、教師側の撮像装置２０から受信した描画情報を、例えばアドバイス画像に重ねて表示する。これにより、教師側の撮像装置２０の使用者は、アドバイス画像６２上に含まれる何れか１つの被写体を特定したり、アドバイスを手書き文字により書き込んだりすることができ、より理解し易いアドバイスを提供することができる。
【００８３】
なお、生徒側の撮像装置３０の表示部３６は、描画情報を表示してから予め定められた時間経過した後に、描画情報を消去してもよい。これにより、生徒側の撮像装置３０の表示部３６は、描画情報の内容が使用者に伝わった後には、マークおよび文字等が存在しない状態のアドバイス画像６２に戻すことができる。
【００８４】
また、生徒側の撮像装置３０の表示部３６は、当該生徒側の撮像装置３０の使用者による操作に応じて、描画情報、アドバイス情報およびライブビュー画像もポーズして表示してもよい。これにより、生徒側の撮像装置３０の使用者は、アドバイス情報、ライブビュー画像および描画情報等が更新されないので、余裕もって設定をすることができる。
【００８５】
また、生徒側の撮像装置３０の表示部３６は、当該生徒側の撮像装置３０の使用者による操作に応じて、描画情報、アドバイス情報およびライブビュー画像をリプレイして表示してもよい。これにより、生徒側の撮像装置３０の使用者は、アドバイス情報、ライブビュー画像および描画情報等が更新されてしまい、アドバイスの内容が理解できなかった場合であっても、再度アドバイスの内容を理解することができる。
【００８６】
また、このような生徒側の撮像装置３０の表示部３６は、画面上にキーボードを表示させてもよい。また、生徒側の撮像装置３０は、機器本体とは別体のキーボードを接続可能としてもよい。これにより、生徒側の撮像装置３０は、使用者にテキストを容易に入力させることができる。
【００８７】
図１０は、本実施形態の変形例に係る撮像システム１０の構成を示す。本変形例に係る撮像システム１０は、図１から図９を参照して説明した本実施形態に係る撮像システム１０と略同一の機能および構成を有するので、以下、相違点を除き説明を省略する。
【００８８】
本変形例に係る撮像システム１０は、複数の撮像装置８０を備える。複数の撮像装置８０のそれぞれは、図１から図９を参照して説明した教師側の撮像装置２０の機能および生徒側の撮像装置３０の機能の両者を有する。
【００８９】
更に、複数の撮像装置８０のそれぞれは、他の撮像装置８０と近距離の無線通信をする機能を有する。複数の撮像装置８０のそれぞれは、自己の通信エリア内に存在する他の撮像装置８０に対して、アドバイス情報の送信を許可する場合、通信オン状態とし、アドバイス情報の送信を許可しない場合には通信オフ状態とする。撮像装置８０は、使用者の操作に応じて、通信オン状態および通信オフ状態を切り替える。さらに、複数の撮像装置８０のそれぞれは、自己の通信エリア内に、アドバイス情報の送信を許可する他の撮像装置８０が存在するか否かを検出することができる。
【００９０】
このような撮像システム１０において、ある一の撮像装置８０は、自己の通信エリア内に通信オン状態の他の撮像装置８０が存在する場合、使用者の操作に応じて、他の撮像装置８０にアドバイス情報の取得要求を送信する。アドバイス情報の取得要求を受けた他の撮像装置８０は、使用者の操作に応じて、アドバイス情報およびアドバイス画像を、取得要求をした一の撮像装置８０へと送信する。
【００９１】
一の撮像装置８０は、他の撮像装置８０からアドバイス情報およびアドバイス画像を受信する。そして、一の撮像装置８０は、受信したアドバイス情報およびアドバイス画像を表示する。このような撮像システム１０によれば、例えば同じ被写体を撮像している他の撮影者が近くに存在する場合、他の撮影者がどのような設定値および画角で撮影をしているのかを教えてもらうことができる。
【００９２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９４】
１０  撮像システム、１１  光軸、２０  教師側の撮像装置、２１  交換レンズ、２２  カメラ本体、３０  生徒側の撮像装置、３６  表示部、６２  アドバイス画像、６４  ライブビュー画像、６６  設定値情報、７０  タッチペン、８０  撮像装置、１０２  水平線、１０４  太陽、１０６  山、１０８  海岸線、１１０  表示ボックス、１１２  マーク、１２０  レンズシステム制御部、１２１  ズームレンズ、１２２  フォーカスレンズ、１２３  絞り、１２４  レンズ駆動回路、１２５  絞り駆動回路、１２６  レンズマウント接点、１３０  カメラシステム制御部、１３１  カメラマウント接点、１３２  システムメモリ、１３３  撮像素子、１３４  シャッタ、１３５  Ａ／Ｄ変換器、１３６  画像処理部、１３７  メモリ制御部、１３８  内部メモリ、１３９  表示制御部、１４０  外部機器ＩＦ、１４１  記録部、１４２  電源制御部、１４３  電源、１４４  操作検出部、１４５  測光センサ、１４６  露出制御部、１４７  通信部、１４８  音声入力部、１４９  音声出力部、１５０  ＡＦセンサ、１５１  ＡＦ制御部、２００  ライブビュー画像
【図１】
2013128252.tif 000003
【図２】
2013128252.tif 000004
【図３】
2013128252.tif 000005
【図４】
2013128252.tif 000006
【図５】
2013128252.tif 000007
【図６】
2013128252.tif 000008
【図７】
2013128252.tif 000009
【図８】
2013128252.tif 000010
【図９】
2013128252.tif 000011
【図１０】
2013128252.tif 000012